(57)【特許請求の範囲】
【請求項１】
用紙を給送するための給送ローラーと、
前記給送ローラーを駆動するための駆動力を発生する駆動源と、
前記駆動源と前記給送ローラーとの間に設けられて、前記駆動力を前記給送ローラーに伝達する駆動側ギアおよび従動側ギアと、
前記駆動側ギアと前記従動側ギアとの間に設けられて、前記駆動源から前記給送ローラーに前記駆動力を伝達する伝達状態と前記駆動源から前記給送ローラーに前記駆動力を伝達しない非伝達状態とを切り替えるクラッチとを備え、
前記クラッチは、前記駆動側ギアと係合する駆動側係合爪、および前記従動側ギアと係合する従動側係合爪の両方が形成された単一の部材としてのクラッチ本体を含むものであり、
前記クラッチ本体が非係合位置にあるとき、前記駆動側係合爪と前記駆動側ギアとの係合が解除され、かつ前記従動側係合爪と前記従動側ギアとの係合が解除されることにより、前記クラッチが前記非伝達状態に維持される搬送装置。
【請求項２】
請求項１に記載の搬送装置において、
前記クラッチは、前記クラッチ本体に加えて、同クラッチ本体を回転可能に支持する回動軸を有する本体支持部材を含むものであり、
前記クラッチ本体は、前記回動軸まわりを回動することにより前記クラッチの前記伝達状態と前記非伝達状態とを切り替えるものである搬送装置。
【請求項３】
請求項２に記載の搬送装置において、
前記クラッチ本体が前記非係合位置にあるとき、前記駆動側ギアの歯先と前記駆動側係合爪の先端との距離が前記従動側ギアの歯先と前記従動側係合爪の先端との距離よりも短い搬送装置。
【請求項４】
請求項１〜３のいずれか一項に記載の搬送装置において、
前記従動側ギアの歯数が前記駆動側ギアの歯数よりも多い搬送装置。
【発明の詳細な説明】
【技術分野】
【０００１】
本発明は、駆動側ギアと従動側ギアとの間に設けられて、駆動源から給送ローラーに駆動力を伝達する伝達状態と駆動源から給送ローラーに駆動力を伝達しない非伝達状態とを切り替えるクラッチを備えた搬送装置に関する。
【背景技術】
【０００２】
一般に、プリンター装置は、用紙を搬送するための搬送装置を備えている。また、裁断された用紙を搬送する搬送装置には、必要に応じて記録用紙を抜き差しできる構造が採用されている。ここで、駆動源の駆動力は、互いに噛み合わされた駆動側ギアおよび従動側ギアを介して給送ローラーに伝達される。従って、供給口に供給された用紙を使用者が引き抜いた場合に、給送ローラーが逆回転すると、この回転が従動側ギアおよび駆動側ギアを介して駆動源に伝達されてしまう。
【０００３】
特許文献１には、側面視略Ｄ字型の給送ローラーを用いて、上記問題に対処した搬送装置が提示されている。この搬送装置においては、用紙を供給する給送ローラーは円筒型のローラーの一部を軸方向に平行な平面で切欠いた切り欠き部を備えた形状、即ち側面視略Ｄ字型の形状を成している。そのため、用紙を給送する必要のない場合には、給送ローラーの切欠き部を用紙に対向した状態にして、切欠き部と用紙との間に間隙が生じさせることができる。この状態において、用紙の引き抜きが行われても、用紙によって給送ローラーが逆回転することはない。
【先行技術文献】
【特許文献】
【０００４】
【特許文献１】特開２００４−９９３１７号公報
【発明の概要】
【発明が解決しようとする課題】
【０００５】
ところが、給送ローラーを側面視略Ｄ字型とすると、給送ローラーの全周のうち用紙の給送のために実際に使用できる有効周長さは、切欠き部を除いた部分となる。一方、円筒型の給送ローラーであれば全周を有効周とすることができる。つまり、円筒型の給送ローラーを用いたときには、側面視略Ｄ字型を使用する場合に比して、給送ローラーの径を小さくしても同一の有効周長さを確保できるため、搬送装置の小型化が可能となる。
【０００６】
しかし、円筒型の給送ローラーを使用すると、用紙を給送する必要のない場合においても給送ローラーと用紙とが接触するため、用紙を引き抜く際に、用紙との摩擦により給送ローラーが逆回転させられる。上述した様に、この回転が、従動側ギアおよび駆動側ギアを介して駆動源に伝達されてしまうと、従動側ギアを介して駆動側ギアおよび駆動源に負荷をかけることがある。
【０００７】
ところで、特許文献１の搬送装置は動力伝達のオンとオフを切り替えるクラッチ装置を備えているため、このクラッチ装置がオフであれば、給送ローラーが逆回転させられた場合であっても、回転は駆動側ギアおよび駆動源に伝達されない構造である。しかし、給送ローラーが逆回転させられたことによる回転は、従動側ギアおよびクラッチ装置に伝達される。そのため、クラッチ装置が回転することにともない、クラッチ装置と駆動側ギアとが係合する可能性もある。
【０００８】
本発明の目的は、用紙が搬送装置から引き抜かれたときの給送ローラーの回転が従動側ギアを介して駆動側ギアに伝達されることを、より確実に抑制することのできる搬送装置を提供することにある。
【課題を解決するための手段】
【０００９】
本発明にかかる搬送装置は、用紙を給送するための給送ローラーと、前記給送ローラーを駆動するための駆動力を発生する駆動源と、前記駆動源と前記給送ローラーとの間に設けられて、前記駆動力を前記給送ローラーに伝達する駆動側ギアおよび従動側ギアと、前記駆動側ギアと前記従動側ギアとの間に設けられて、前記駆動源から前記給送ローラーに前記駆動力を伝達する伝達状態と前記駆動源から前記給送ローラーに前記駆動力を伝達しない非伝達状態とを切り替えるクラッチとを備え、前記クラッチは、前記駆動側ギアと係合する駆動側係合爪、および前記従動側ギアと係合する従動側係合爪の両方が形成された単一の部材としてのクラッチ本体を含むものであり、前記クラッチ本体が非係合位置にあるとき、前記駆動側係合爪と前記駆動側ギアとの係合が解除され、かつ前記従動側係合爪と前記従動側ギアとの係合が解除されることにより、前記クラッチが前記非伝達状態に維持される。
【００１０】
上記発明によれば、クラッチ本体が非係合位置にあるとき、クラッチと駆動側ギアおよび従動側ギアの双方との係合が解除されるため、用紙が搬送装置から引き抜かれたときの給送ローラーの回転はクラッチに伝達されない。このため、用紙が搬送装置から引き抜かれたときの給送ローラーの回転が従動側ギアを介して駆動側ギアに伝達されることをより確実に抑制することができる。
【００１１】
本発明にかかる搬送装置は、前記クラッチは、前記クラッチ本体に加えて、同クラッチ本体を回転可能に支持する回動軸を有する本体支持部材を含むものであり、前記クラッチ本体は、前記回動軸まわりを回動することにより前記クラッチの前記伝達状態と前記非伝達状態とを切り替えるものである。
【００１２】
上記発明によれば、クラッチ本体が回動軸まわりを回動することによりクラッチの伝達状態と非伝達状態とが切り替えられるため、回動軸の軸方向についてクラッチを配置するためのスペースを小さくすることができる。
【００１３】
本発明にかかる搬送装置は、前記クラッチ本体が前記非係合位置にあるとき、前記駆動側ギアの歯先と前記駆動側係合爪の先端との距離が前記従動側ギアの歯先と前記従動側係合爪の先端との距離よりも短い。
【００１４】
クラッチを非伝達状態から伝達状態に切り替える場合において、クラッチ本体を回動しても駆動側ギアと駆動側係合爪とが係合せず単に接触しただけの状態となることもある。駆動側ギアと駆動側係合爪とが接触するよりも先に従動側ギアと従動側係合爪とが接触したとき、この接触によりクラッチ本体の回動が妨げられて各ギアと各係合爪とが係合されないおそれがある。一方、従動側ギアと従動側係合爪とが接触するよりも先に駆動側ギアと駆動側係合爪とが接触したとき、駆動側ギアが駆動源により回転させられていることにより、駆動側ギアの回転にともない同ギアと駆動側係合爪とが係合する。そして、この駆動側ギアと駆動側係合爪との係合にともない従動側ギアおよび従動側係合爪も互いに係合する。
【００１５】
上記発明では、駆動側ギアの歯先と駆動側係合爪の先端との距離が従動側ギアの歯先と従動側係合爪の先端との距離よりも短いため、非伝達状態から伝達状態への切り替えのためにクラッチ本体を回動したときには、従動側ギアと従動側係合爪とが接触するよりも先に駆動側ギアと駆動側係合爪とが接触する。従って、従動側ギアと従動側係合爪との接触に起因して、クラッチの非伝達状態から伝達状態への切り替えが妨げられることを抑制することができる。
【００１６】
本発明にかかる搬送装置は、前記従動側ギアの歯数が前記駆動側ギアの歯数よりも多い。
上記発明によれば、従動側ギアの歯数が駆動側ギアの歯数よりも多いため、従動側ギアと従動側係合爪とが係合したときのバックラッシを小さくすることができる。また、駆動側ギアの歯数が従動側ギアの歯数よりも少ないため、駆動側ギアの歯の強度を従動側ギアよりも大きくすることができる。
【図面の簡単な説明】
【００１７】
【図１】本発明の搬送装置を具体化した一実施形態に係るプリンターの要部拡大正面図。
【図２】同実施形態に係るプリンターの図１におけるＡ−Ａ断面図。
【図３】同実施形態に係るプリンターにおける搬送装置の分解斜視図。
【図４】同実施形態に係るプリンターにおける搬送装置の伝達状態を示す要部拡大断面図であり、（ａ）は図１におけるＢ−Ｂ断面図で、（ｂ）は図１におけるＣ−Ｃ断面図。
【図５】同実施形態に係るプリンターにおける搬送装置の非伝達状態を示す要部拡大断面図であり、（ａ）は図１におけるＢ−Ｂ断面図で、（ｂ）は図１におけるＣ−Ｃ断面図。
【図６】同実施形態に係るプリンターの駆動側ギアを取り外した状態での図２の要部拡大図。
【図７】同実施形態に係るプリンターの待機状態における要部拡大図で、図１のＢ−Ｂ断面図。
【図８】同実施形態に係るプリンターの、非伝達状態から伝達状態への移行時における要部拡大断面図で、（ａ）は図１におけるＢ−Ｂ断面図で、（ｂ）は図１におけるＣ−Ｃ断面図。
【図９】同実施形態に係るプリンターの、非伝達状態から伝達状態への移行直後における要部拡大断面図で、（ａ）は図１におけるＢ−Ｂ断面図で、（ｂ）は図１におけるＣ−Ｃ断面図。
【図１０】同実施形態に係るプリンターの給紙動作中における要部拡大断面図で、図１のＢ−Ｂ断面図。
【図１１】同実施形態に係るプリンターの伝達状態から非伝達状態への移行時における要部拡大断面図で、図１におけるＢ−Ｂ断面図。
【図１２】同実施形態に係るプリンターの非伝達状態への移行直後における要部拡大断面図で、図１におけるＢ−Ｂ断面図。
【発明を実施するための形態】
【００１８】
以下、本発明の搬送装置をインクジェット式プリンターに搭載して具体化した一実施形態を図１〜図１２を用いて説明する。なお、以下の説明において、方向および向きは、特に断らない場合、図中に矢印記号により表示したものを使用するものとする。
【００１９】
図１はプリンターに搭載された搬送装置をプリンターの前方から見た要部拡大正面図である。説明の便のため、搬送装置に直接関与しないプリンターのハウジング等は、省略して表示している。また、図２は図１のＡ−Ａ断面図である。搬送装置を構成する部材の側面から見た位置関係を明示している。また、図３に示す分解斜視図には、各構成部材の形状が明示されている。
【００２０】
図１〜図３に示すように、搬送装置の主要部はプリンター本体に固定されたホルダー２に回転可能に支持されている。駆動源である非図示のモーターが発生させた駆動力は、ギア１０にまず伝達される。このギア１０は大径ギア１１と小径ギア１２とが同軸かつ一体的に形成された複合ギアである。ギア１０に伝達された駆動力は小径ギア１２に噛合する駆動側ギア４０に伝達される。この駆動側ギア４０も、大径ギア４１と小径ギア４２とが同軸かつ一体的に形成された複合ギアである。この大径ギア４１がギア１０の小径ギア１２と噛合している。更に駆動側ギア４０の小径ギア４２が、クラッチ５０と係合および解除できる構造となっている。一方、従動側ギア７０も大径ギア７１と小径ギア７２とが同軸かつ一体的に形成された複合ギアである。従動側ギア７０の小径ギア７２もクラッチ５０と係合および解除できる構造となっている。また、従動側ギア７０の大径ギア７１がギア５と噛合する。ここで、駆動側ギア４０とクラッチ５０とが係合するとともに、従動側ギア７０とクラッチ５０とが係合した状態が、伝達状態である。伝達状態において、駆動側ギア４０に伝達された駆動力は、クラッチ５０を介して従動側ギア７０に伝達される。
【００２１】
従動側ギア７０に伝達された駆動力は大径ギア７１と噛合するギア５、およびギア５に噛合するギア６を介して、ローラー駆動軸８０に伝達される。
ローラー駆動軸８０は、幅方向に延設された回転軸である軸本体８２と、右方端部配置されたギア６と噛合する右端ギア８１と、左方端部近傍にギア７と噛合する左端ギア８３とを備える。この左端ギア８３と噛合するギア７、およびギア７に噛合するギア８を介して、給送ローラー９０に駆動力が伝達される。
【００２２】
給送ローラー９０は、ギア８と噛合するギア９１と、ギア９１と一体的に形成され、ギア９１と同軸回転するローラー本体９２と、ローラー本体９２の外周面にはめ込まれる略円筒型の摩擦部材９３とを備えている。この給送ローラー９０に駆動力が伝達されることにより、給送ローラー９０が回転するとともに、一体的に回転する摩擦部材９３に接する用紙Ｐが給送される。給送された用紙は搬送ローラーＲにより非図示の噴射ヘッドの下部に搬送され、印刷された後に排紙される。
【００２３】
次に、図３および図４を参照してクラッチ５０について詳説する。ここで図４（ａ）は伝達状態おける駆動側ギア４０とクラッチ５０が備える駆動側クラッチの状態を説明するための図面であって、図１におけるＢ−Ｂ断面図である。図４（ｂ）は伝達状態おける従動側ギア７０とクラッチ５０が備える従動側クラッチの状態を説明するための図面であって、図１におけるＣ−Ｃ断面図である。
【００２４】
クラッチ５０は短円筒状のクラッチ本体５１と、同クラッチ本体５１を回動可能に支持する本体支持部材６１とを備えている。具体的には、クラッチ本体５１の内周面の右方には、駆動側係合爪５２が設けられている。小径ギア４２はクラッチ本体５１の右方より挿入されることにより、駆動側係合爪５２と係合可能に配置される。一方、クラッチ本体５１の内周面の左方には、従動側係合爪５３が設けられている。小径ギア７２は、クラッチ本体５１の左方より本体支持部材６１を間に挟む態様で挿入されることにより、従動側係合爪５３と係合可能に配置される。クラッチ本体５１の外周面からは本体支持部材６１によって支持されるための貫通孔を有した軸受部５６、ばね６９の一方端が固定される本体側ばね固定突起５４、および伝達状態と非伝達状態を切り替えるための切替突起５５が径方向外方に突出している。
【００２５】
一方、本体支持部材６１は中央部に貫通孔６２を有する略円環状の部材である。上述の小径ギア７２はこの貫通孔６２に左方から挿入された後、更にクラッチ本体５１に挿入される。右方の側面から略円柱状の回動軸６３が突出している。上述した軸受部５６の貫通孔に、この回動軸６３を挿入することによりクラッチ本体５１が回動可能に支持される。また、右方の側面からは、支持部材側ばね固定突起６４が更に突出しており、ばね６９の他方端が固定されている。
【００２６】
図４（ａ），（ｂ）に示すように、ばね６９は、クラッチ本体５１に設けられた本体側ばね固定突起５４に一方端を固定されるとともに、他方端を本体支持部材６１に設けられた支持部材側ばね固定突起６４に固定されている。従って、図中に黒矢印で示したように、ばね６９は、本体側ばね固定突起５４を介して、駆動側係合爪５２を小径ギア４２と係合させる方向にクラッチ本体５１を付勢する。その結果、外部からの力がクラッチ本体５１にかからなければ、駆動側係合爪５２は小径ギア４２と係合する。また、図４（ｂ）に示すように、同じくばね６９の付勢力によって、従動側係合爪５３は小径ギア７２と係合する。このときのクラッチ本体５１の位置が係合位置であり、クラッチ本体５１が係合位置にあるときにクラッチ５０が上述した伝達状態となる。伝達状態において駆動側ギア４０が回転すると、クラッチ本体５１と本体支持部材６１とは一体的に回転することにより、従動側ギア７０に駆動力を伝達する。
【００２７】
一方、図５（ａ）に示すように、ばね６９の付勢力と逆向きの力がクラッチ本体５１にかけられると、駆動側係合爪５２は小径ギア４２と離間され、係合が解除される。また、図５（ｂ）に示すように、同じく従動側係合爪５３は小径ギア７２と離間され、係合が解除される。このときのクラッチ本体５１の位置が非係合位置であり、クラッチ本体５１が非係合位置にあるときにクラッチ５０が非伝達状態となる。このように、非伝達状態においては、駆動側ギア４０とクラッチ５０とが非係合となるのみならず、従動側ギア７０とクラッチ５０とも非係合となっている。そのため、非伝達状態において駆動側ギア４０が回転しても、クラッチ本体５１および本体支持部材６１は回転しない。また逆に、従動側ギア７０が回転しても、クラッチ本体５１および本体支持部材６１は回転しない。
【００２８】
続けて、上述した伝達状態と非伝達状態とを切り替えるための切替レバーについて、図３および図６を用いて説明する。
切替レバー３０は中央に貫通孔３１を有する略棒状の部材である。貫通孔３１より前方にクラッチ本体の切替突起５５と係合する切替爪３３が設けられている。切替爪３３より前方の切替レバー３０の先端部にはキャリッジ１に当接する当接部３２が形成されている。切替レバー３０はレバー駆動ギア２０を介して、プリンター本体に連結されている。
【００２９】
ここで、レバー駆動ギア２０は図３に示すように、ギア本体２１とギア本体２１から左方に延設された円筒部２２とを備えている。この円筒部２２の外周面が切替レバー３０の貫通孔３１の内周面に摺接する態様で貫通孔３１に円筒部２２が挿入され、円筒部２２の更に先端がプリンター本体に設けられた非図示の凹陥部に挿入されている。従って、切替レバー３０はレバー駆動ギア２０を回動中心として回動可能に支持されている。
【００３０】
更にレバー駆動ギア２０のギア本体２１はギア１０の大径ギア１１と噛合しているため、ギア１０に連動して回転する。また、切替レバー３０は、貫通孔３１が円筒部２２の外周面と摺接しているため、レバー駆動ギア２０が回転すると力を受けて回動する。
【００３１】
具体的には、図６中に黒矢印で示したように、ギア１０が正回転すると、レバー駆動ギア２０も正回転するため、切替レバー３０は切替爪３３をクラッチ本体５１に近接させる方向に回動する。この状態で、クラッチ５０が回転すると、切替爪３３が切替突起５５と係合するためクラッチ本体５１に力が掛かる結果となり、クラッチ５０が非伝達状態に切り替えられる。
【００３２】
図６中に白抜き矢印で示したように、ギア１０が逆回転すると、レバー駆動ギア２０も逆回転するため、切替レバー３０は切替爪３３をクラッチ本体５１から離間させる方向に回動する。そうすると、切替爪３３と切替突起５５との係合が解除されるため、クラッチ本体５１に掛けられていた力が消滅する。その結果、ばね６９の付勢力によりクラッチ５０が伝達状態に切り替えられる。
【００３３】
また、キャリッジ１が幅方向において右方に位置している場合には、図６に示すように、当接部３２がキャリッジ１の後方部分に当接するため、切替爪３３をクラッチ本体５１から離間させる方向への切替レバー３０の回動がロックされる。この場合、仮にギア１０が逆回転しても非伝達状態から伝達状態に切り替えられることはない。
【００３４】
図５および図７〜図１２を用いて、搬送装置による用紙の給送動作について説明する。より詳細には、図５（ａ）、図７、図８（ａ）、図９（ａ）、図１０〜図１２により、駆動側ギア４０（より詳細には小径ギア４２）と駆動側係合爪５２との関係を主として説明する。また、図５（ｂ）、図８（ｂ）、図９（ｂ）により、従動側ギア７０（より詳細には小径ギア７２）と従動側係合爪５３との関係を主として説明する。
【００３５】
図５に示すように、給送開始前の待機状態において、クラッチ５０は非伝達状態にある。既に述べたように、切替レバー３０の切替爪３３が切替突起５５に噛合することにより、駆動側係合爪５２は小径ギア４２と離間されているとともに、従動側係合爪５３は小径ギア７２と離間されている。また、キャリッジ１が右方に位置しているため、切替レバー３０はロックされている。従って、この状態において、クラッチ５０が伝達状態に切り替わることはない。
【００３６】
図７に示すように、キャリッジ１が左方に移動すると、切替レバー３０のロックは解除される。この状態で、ギア１０を逆回転させると、上述したように切替爪３３と切替突起５５との係合が解除される。
【００３７】
図８（ａ）に示すように、切替レバー３０によるばね６９の付勢力により、クラッチ本体５１が回動するため、駆動側ギア４０の小径ギア４２と駆動側係合爪５２とが係合する。ここで、駆動側係合爪５２の先端と駆動側ギア４０の小径ギア４２のギア歯の先端との距離は、従動側係合爪５３の先端と従動側ギア７０の小径ギア７２のギア歯の先端との距離により短いため、駆動側ギア４０の小径ギア４２と駆動側係合爪５２とが先に係合する。そのため、図８（ｂ）に示すように、従動側ギア７０の小径ギア７２と従動側係合爪５３とは近接しているがまだ係合していない。
【００３８】
かかる構成をとることにより、仮に駆動側係合爪５２の先端と小径ギア４２のギア歯の先端とが接触することにより係合が妨げられた場合であっても、小径ギア４２が回転しているため、歯の先端同士の当接が解除され、係合状態に移行することができる。その後、従動側係合爪５３の先端と小径ギア７２のギア歯の先端とが接触することにより係合が妨げられた場合であっても、既にクラッチ５０は回転しているため、先端同士の当接が解除され、係合状態に移行することができる。
【００３９】
図９（ａ），（ｂ）に示すように、駆動側ギア４０の小径ギア４２と駆動側係合爪５２との係合に続いて、従動側ギア７０の小径ギア７２と従動側係合爪５３とが係合することにより、伝達状態に移行する。
【００４０】
なお、従動側ギア７０の小径ギア７２歯数は駆動側ギア４０の小径ギア４２の歯数に比して大きく構成されているため、従動側ギア７０のバックラッシが駆動側ギア４０に比して小さくなっている。
【００４１】
伝達状態においては、駆動側ギア４０の駆動力が、クラッチ５０を介して従動側に伝達されるため、図１０に示すように、駆動側ギア４０、クラッチ５０、従動側ギア７０のいずれもが回転する。その結果、ギア５，６、ローラー駆動軸８０、ギア７，８を介して給送ローラー９０が回転することにより用紙の給送が行われる。
【００４２】
ところで、用紙の給送が行われているときギア１０は正回転しているため、噛合するレバー駆動ギア２０を介して、切替レバー３０が回動し、切替爪３３がクラッチ本体５１に近接する。その状態でクラッチ５０が１回転すると、図１１に示すように、再び切替レバー３０の切替爪３３が切替突起５５に噛合する。
【００４３】
更にクラッチ５０が回転すると、図１２に示すように、切替爪３３に切替突起５５が押しつけられる。そのため、ばね６９の付勢力に対して反対向きの力がクラッチ本体５１に掛かるため、駆動側係合爪５２は小径ギア４２と離間されるとともに、従動側係合爪５３は小径ギア７２と離間される。
【００４４】
その結果、クラッチ５０は非伝達状態となり、用紙の給送が終了する。その後、キャリッジ１が右方に移動することにより、切替レバー３０がロックされると、図５に示した待機状態に戻る。
【００４５】
上記実施形態によれば、以下のような効果を得ることができる。
（１）上記実施形態では、クラッチ本体５１が非係合位置にあるとき、クラッチ５０と駆動側ギア４０および従動側ギア７０の双方との係合が解除されるため、用紙が搬送装置から引き抜かれたときの給送ローラー９０の回転はクラッチ５０に伝達されない。このため、用紙が搬送装置から引き抜かれたときの給送ローラー９０の回転が従動側ギア７０を介して駆動側ギア４０に伝達されることをより確実に抑制することができる。そのため、クラッチ５０が回転することにより意図せずクラッチ５０と駆動側ギア４０とが係合した結果、駆動側ギア４０や駆動源であるモーターに負荷をかけることを防止できる。
【００４６】
（２）上記実施形態では、クラッチ本体５１が回動軸６３まわりを回動することによりクラッチの伝達状態と非伝達状態とが切り替えられるため、回動軸６３の軸方向についてクラッチを配置するためのスペースを小さくすることができる。
【００４７】
（３）上記実施形態では、駆動側ギア４０の小径ギア４２の歯先と駆動側係合爪５２の先端との距離が従動側ギア７０の小径ギア７２の歯先と従動側係合爪５３の先端との距離よりも短い。そのため、非伝達状態から伝達状態への切り替えのためにクラッチ本体５１を回動したときには、従動側ギア７０の小径ギア７２と従動側係合爪５３とが接触するよりも先に駆動側ギア４０の小径ギア４２と駆動側係合爪５２とが接触する。従って、従動側ギア７０の小径ギア７２と従動側係合爪５３との接触に起因して、クラッチ５０の非伝達状態から伝達状態への切り替えが妨げられることを抑制することができる。
【００４８】
（４）上記実施形態では、従動側ギア７０の小径ギア７２の歯数が駆動側ギア４０の小径ギア４２の歯数よりも多いため、従動側ギア７０の小径ギア７２と従動側係合爪５３とが係合したときのバックラッシを小さくすることができる。また、駆動側ギア４０の小径ギア４２の歯数が従動側ギア７０の小径ギア７２の歯数よりも少ないため、駆動側ギア４０の小径ギア４２の歯の強度を従動側ギア７０の小径ギア７２よりも大きくすることができる。
【００４９】
なお、上記実施形態は以下のように変更してもよい。
・上記実施形態では、従動側ギア７０の小径ギア７２の歯数が駆動側ギア４０の小径ギア４２の歯数に比して大きいが、バックラッシを他の方法で小さくできるのであれば、従動側ギア７０の小径ギア７２の歯数と駆動側ギア４０の小径ギア４２の歯数を同じにしてもよいし、駆動側ギア４０の小径ギア４２の歯数を多くしても良い。
【００５０】
・上記実施形態では、駆動側係合爪５２の先端と駆動側ギア４０の小径ギア４２のギア歯の先端との距離は、従動側係合爪５３の先端と従動側ギア７０の小径ギア７２のギア歯の先端との距離より短く構成しているが、他の構成であっても良い。例えば、従動側係合爪５３の先端の形状および小径ギア７２のギヤ歯の先端の形状を曲線で構成し、ギアの先端と爪の先端が接触した場合であっても、先端どうしが互いに滑ることにより接触状態が解除できる構成をとることにより、各ギアと各係合爪とが係合されない状態を回避しても良い。
【００５１】
・上記実施形態では、クラッチ本体５１は短円筒状であって、内周面に駆動側係合爪５２および従動側係合爪５３を有しているが、他の構成であっても良い。クラッチ本体５１が回動軸６３周りを回動することにより、伝達状態と非伝達状態とが切り替えられる構成であれば良い。例えば、駆動側係合爪および従動側係合爪が外周面にあるとともに、駆動側ギアおよび従動側ギアが内歯ギアであり、クラッチ本体を外周方向から取り囲む態様であっても良い。
【００５２】
・上記実施形態では搬送装置を、インクジェット式プリンターに搭載されている搬送装置に具体化したが、他の機材に搭載しても良い。例えば、レーザープリンター等の他の形式のプリンターに搭載しても良いし、スキャナー、ファックス等、プリンター以外であっても、用紙を搬送する他の機材に搭載しても良い。
【符号の説明】
【００５３】
Ｐ…用紙、Ｒ…搬送ローラー、１…キャリッジ、２…ホルダー、５…ギア、６…ギア、７…ギア、８…ギア、１０…ギア、１１…大径ギア、１２…小径ギア、２０…レバー駆動ギア、２１…ギア本体、２２…円筒部、３０…切替レバー、３１…貫通孔、３２…当接部、３３…切替爪、４０…駆動側ギア、４１…大径ギア、４２…小径ギア、５０…クラッチ、５１…クラッチ本体、５２…駆動側係合爪、５３…従動側係合爪、５４…本体側ばね固定突起、５５…切替突起、５６…軸受部、６１…本体支持部材、６２…貫通孔、６３…回動軸、６４…支持部材側ばね固定突起、６９…ばね、７０…従動側ギア、７１…大径ギア、７２…小径ギア、８０…ローラー駆動軸、８１…右端ギア、８２…軸本体、８３…左端ギア、９０…給送ローラー、９１…ギア、９２…ローラー本体、９３…摩擦部材。
【図１】
0005494149.tif 000002
【図２】
0005494149.tif 000003
【図３】
0005494149.tif 000004
【図４】
0005494149.tif 000005
【図５】
0005494149.tif 000006
【図６】
0005494149.tif 000007
【図７】
0005494149.tif 000008
【図８】
0005494149.tif 000009
【図９】
0005494149.tif 000010
【図１０】
0005494149.tif 000011
【図１１】
0005494149.tif 000012
【図１２】
0005494149.tif 000013